(57)【要約】【課題】  本発明は、複数個の商品が包装された包装体に於いて、それぞれの商品に具備されたＩＣタグの情報を個々に確実に読み取る又は書き込むことができるＩＣタグ付き包装体を提供することを課題とする。【解決手段】  底面にＩＣタグ２が具備されている商品３の複数個が、それぞれ底面を下にした状態で、包材によって包装されているＩＣタグ付き包装体。【選択図】      図１
2007001663.tif 000002
【特許請求の範囲】
【請求項１】
底面にＩＣタグが具備されている商品の複数個が、それぞれ底面を一面側に向けた状態で、包材によって包装されていることを特徴とするＩＣタグ付き包装体。
【請求項２】
請求項１記載のＩＣタグ付き包装体の一面側から無線通信装置を作用させ、個々の商品に係る情報を、個別に又は所定個を一括してＩＣタグから読み取る及び／又はＩＣタグに書き込むことを特徴とするＩＣタグ付き包装体のＩＣタグ通信方法。
【発明の詳細な説明】
【技術分野】
【０００１】
本発明は、ＩＣタグが具備された複数個の商品を包装してなるＩＣタグ付き包装体、及びこの包装体のＩＣタグ通信方法に関する。
【背景技術】
【０００２】
近年のＩＴ技術の著しい進歩によって、超小型のＩＣチップを備えるＩＣタグが、バーコードなどに代わって商品の製造、品質、流通などの管理に利用されるようになってきている。例えば、このＩＣタグに商品情報（品名、ロット番号、製造日、品質保持期限等）や入出荷情報（出荷日、入庫日等）などを適宜記録することにより、商品の製造元から流通業者を経て消費者に亘るまでの流通履歴を含めた商品管理を、個々の商品毎に行うことが可能となる。
このようなＩＣタグを商品に具備させる手段として、例えば、特開２００４−２０７７１には、筒状のラベル基材面に、導電性インキからなるアンテナパターンが印刷され、このアンテナパターンに電気的に導通するようにＩＣタグが貼着されているＩＣタグ付きボトル用ラベルを、容器胴部に装着することが開示されている。
また、このような筒状ラベル以外に、ＩＣタグを備えるタックラベルを、容器胴部に貼付する手段も考えられる。
【０００３】
ところで、多くの商品は、通常、複数個を纏めて段ボール箱や厚紙箱などの包材に詰められた包装体の形態で、工場から出荷され、保管・運搬などの流通に供している。
しかしながら、容器胴部にＩＣタグが具備された商品の複数個を包装して包装体とした場合、該包装体の状態で、個々の商品毎にそれぞれのＩＣタグ情報を正確に読み取ることなどができないという問題点がある。
すなわち、上記のように胴部にＩＣタグが具備された商品の複数個を纏め、包材にて包装した場合、隣合う商品のＩＣタグ同士が向かい合うことがあり、該対面したＩＣタグが干渉し合うため、リーダ装置などの無線通信装置によって各商品のＩＣタグ情報を正確に読み取ったり、或いは各商品のＩＣタグに情報を書き込むことができない。また、飲料などの液体が収納された商品の場合、液体に電波が吸収され易いので、同様にＩＣタグ情報の読み取り精度が低下する。
【０００４】
この点、包材で包装する際に、隣合う商品のＩＣタグが対向しないように包装すれば、隣合う商品や該商品に具備されたＩＣタグの干渉を抑制することも可能となる。しかし、向きを調整して包装することは包装作業の煩雑化を招き、又、容器の形状によっては、向き調整して包装しても運搬中にその向きが変わることがある。さらに、例えば、１２個の商品を３列×４行に並べて包装する場合などのように３列以上に並べて包装された包装体にあっては、中央部分に位置する商品の周囲には、他の商品が存在するので、少なくとも中央部分に位置する商品のＩＣタグを正確に読み取ることなどができない。
【０００５】
【特許文献１】特開２００４−２０７７１号公報
【発明の開示】
【発明が解決しようとする課題】
【０００６】
そこで、本発明は、複数個の商品が包装された包装体に於いて、それぞれの商品に具備されたＩＣタグの情報を個々に確実に読み取る又は書き込むことができるＩＣタグ付き包装体、及び該ＩＣタグ付き包装体のＩＣタグ通信方法を提供することを課題とする。
【課題を解決するための手段】
【０００７】
上記課題を解決するための第１の手段として、本発明は、底面にＩＣタグが具備されている商品の複数個が、それぞれ底面を一面側に向けた状態で、包材によって包装されているＩＣタグ付き包装体を提供する。
【０００８】
上記ＩＣタグ付き包装体は、底面にＩＣタグが具備されている商品の複数個が、それぞれ底面を一面側に向けた状態（例えば、商品の底面を下に向けた状態）で、包材によって包装されているので、包装体の一面側に、各商品に具備されたＩＣタグがそれぞれ並んだ状態となっている。
従って、複数個の商品を包装する際、隣合う商品の向き調整などを行わなくても、個々の商品に具備されたＩＣタグは、隣合う商品や該商品に具備されたＩＣタグによって干渉を受けることを防止できる。従って、このＩＣタグ付き包装体の一面側から無線通信装置を作用させることにより、個々の商品の情報をそれぞれ確実に読み取る又は書き込むことができる。
【０００９】
また、本発明の第２の手段として、底面にＩＣタグが具備されている商品の複数個が、それぞれ底面を一面側に向けた状態で包材によって包装されてなるＩＣタグ付き包装体について、該包装体の一面側から無線通信装置を作用させ、個々の商品に係る情報を、個別に又は所定個を一括してＩＣタグから読み取る及び／又はＩＣタグに書き込むＩＣタグ付き包装体のＩＣタグ通信方法を提供する。
ここで、上記ＩＣタグ付き包装体のＩＣタグ通信方法に於いては、個々の商品に係る情報を、個別に又は所定個を一括してＩＣタグから読み取る及び／又はＩＣタグに書き込むものであるから、ＩＣタグの情報の読み取りとＩＣタグへの情報の書き込みの少なくとも何れか一方を行うものである。
【発明の効果】
【００１０】
本発明のＩＣタグ付き包装体及びＩＣタグ付き包装体のＩＣタグ通信方法によれば、複数の商品を包装した状態で、各商品に具備されたＩＣタグの情報をそれぞれ確実に読み取る又は該ＩＣタグに情報を書き込むことができる。
従って、包装体を開封して商品を取り出さなくても、ＩＣタグを利用して、商品毎の商品管理を確実に行うことができる。
【発明を実施するための最良の形態】
【００１１】
以下、本発明について、図面を参照しつつ具体的に説明する。
図１及び図２に於いて、１は、底面３ａにＩＣタグ２が具備された商品３と、該商品３の複数個を纏めて外包装する包材５と、からなるＩＣタグ付き包装体を示す。
【００１２】
商品３は、底面３ａを下にして自立可能な形態とされている。
具体的には、商品３は、底面３ａを介して自立可能な容器３１と、該容器３１内に収納された収納物３２と、からなる。
本実施形態に於ける容器３１は、図３に示すように、円状の底面３１ａ、この底面３１ａに続く円筒状の胴部３１ｂ、この胴部から次第に細くなる肩部３１ｃ、及びこの肩部３１ｃの上端部に開口された円状の開口部３１ｄが形成されたガラス製の容器本体と、容器本体の開口部３１ｄを封緘するゴム栓などの蓋部３１ｅと、から構成されている。
該容器３１の底面３１ａは、胴部３１ｂの軸長方向に対してほぼ直交する面部である。
この容器３１内には、収納物３２として液状の医薬品が収納されている。
尚、このように医薬品が収納された上記容器３１は、一般にバイアル瓶と言われている。
【００１３】
容器３１の底面３１ａ（商品３の底面３ａ）の外側に、ＩＣタグ２が具備されている。
ＩＣタグ２は、図３に示すように、ＩＣチップ２２及びアンテナ部２３からなるモジュール部を少なくとも有し、無線通信装置（後述するように、読込み型、書込み型、又は読書き型の何れでもよい）によって非接触でＩＣチップ２２の電気的情報を読み込む及び／又はＩＣチップ２２に書き込むことができる公知のものを用いることができる。
ＩＣタグ２の具体的構成としては、図示したように、基材２１の上にＩＣチップ２２及びアンテナ部２３からなるモジュール部が形成された構成のものや、図示しないが、基材２１の上にＩＣチップ２２及びアンテナ部２３からなるモジュール部が形成され、且つこのＩＣチップ２２等の上に保護基材が積層された構成のものなどが用いられている。
尚、このＩＣタグ２とは、一般的に、ＲＦＩＤタグ、ＲＦＩＤインレット、無線ＩＣタグ、非接触ＩＣ、非接触データキャリアなどと表現されているものも含まれる。
【００１４】
このＩＣタグ２は、図示したように、粘着剤が塗工されたタックラベル４の粘着面にＩＣチップ２２側を貼付し、このタックラベル４を容器３１の底面３１ａに貼付することにより、容器３１の底面３１ａに具備されている。このようにタックラベル４を用いれば、ＩＣタグ２を容器３１の底面３１ａに簡易に具備させることができるので好ましいが、ＩＣタグ２を具備させる手段はこれに限られず、例えば、ＩＣタグ２の基材２１に直接粘着剤を塗工して容器３１の底面３１ａに貼付するなどの他の手段を用いることもできる。
ＩＣタグ２の位置は、容器３１の底面３１ａの中央部（中心部分）に設けることが好ましい。複数個を包装した際に、隣合う容器３１のＩＣタグ２同士が接近することを防ぎ、隣合う容器３１のＩＣタグ２の干渉を確実に防ぐためである。
【００１５】
包材５は、特に限定されず、例えば、図２に示すように、厚紙、段ボール、硬質プラスチックシートなどの比較的硬いシートを組み立てた組立箱を用いることができる。また、包材５は、非透明なもの又は透明なものの何れでもよい。
この包材５の一面（例えば、包装体１の載置面となる包材５の底面５ａ）に各商品の底面３ａを対面させた状態で、包材５内に複数の商品３が並べられて収納されている。従って、各商品３は、上下に積み重ねられておらず、各商品３は、その底面３ａを下にして包材５の一面上に自立した状態で包装されている。このように本発明のＩＣタグ付き包装体１は、包装体１の一面（例えば、流通保管時に包装体１を載置する面）に対して複数の商品３の底面３ａが並べられている。尚、５ｂは、箱型の包材５の開閉蓋を示す。
包材５によって包装される商品３の個数は、複数個（２個以上）であれば特に限定されない。また、各商品３の並べ方も特に限定されず、１列×複数行、２列×複数行、３列×複数行などのように規則的に並べて包装してもよいし、或いは、不規則に並べて包装してもよい。図１では、１０個の商品３を２列×５行に並べ、これを包材５にて包装してＩＣタグ付き包装体１を示している。
尚、包材５によって商品３を包装する際、包材５と商品３との間、或いは隣合う商品３の間に、緩衝用のシートなどを介装してもよい。
【００１６】
次に、上記ＩＣタグ付き包装体１の製造方法及びＩＣタグ付き包装体１のＩＣタグ通信方法について説明する。
医薬品を容器３１に充填し封緘した後、該医薬品に関する商品情報（品名、商品の個別的な識別番号、製造日、製造場所、品質保持期限などの所望の情報）を記録したＩＣタグ２を、容器３１の底面３１ａに貼付することによって、商品３が製造される。
この商品３の複数個を、箱状の包材５に詰め込み、該包材５の開閉蓋５ｂを封緘することによって、ＩＣタグ付き包装体１が得られる。
尚、ＩＣタグ２への商品情報の記録は、商品３の製造時に行わず、包装体１の製造後にＩＣタグ２へ情報を書き込み可能な書込み型又は読書き型の無線通信装置を用いて行うこともできる。
【００１７】
このＩＣタグ付き包装体１は、搬送ラインなどで搬送され、倉庫に保管、或いは製造元から出荷され、流通に供される。そして、搬送ラインなどの所定箇所に於いて、無線通信装置を用いて、包装体１の状態で個々の商品３のＩＣタグ２との通信が行われる。
例えば、この搬送途中に於いて、図４に示すように、コンベア１１の間に無線通信装置１０を配置し、該コンベア１１で搬送される包装体１の載置面側（商品３の底面３１ａが向けられた一面側）を無線通信装置１０上に通過させている間に、該無線通信装置１０から電波が送られ、個々の商品３に具備されたＩＣタグ２と通信することで、ＩＣタグ２に記録された情報をそれぞれ読み取る及び／又はＩＣタグ２に情報をそれぞれ書き込むことができる。
また、無線通信装置１０を、包装体１の搬送途中に配置してＩＣタグ２と通信する態様に限られず、所望の場所で、包装体１を無線通信装置１０の上に載せる又は通過させることにより、ＩＣタグ２と通信することもできる。
【００１８】
ここで、無線通信装置１０は、ＩＣタグ２と無線（非接触）によってアクセスできる装置であって、ＩＣタグ２の情報を読み込む読込み型、無線でＩＣタグ２に情報を記録する書込み型、又は該読み込みと書き込みの双方を行える読書き型、の何れかの型を用いることができる。
読込み型の無線通信装置１０は、ＩＣタグ２に対しては、その記録情報を読み込む機能を有する。かかる読込み型の無線通信装置１０を用いる場合、例えば、商品３毎に具備されたＩＣタグ２にそれぞれの識別番号（ＩＤ番号）が記録され、且つ該識別番号に対応した商品情報が別途データベース化されたシステムを構築することにより（例えば、別に設置したホストコンピュータに商品情報が記録更新され、且つインターネットなどの通信網を通じてアクセスできるデータベースなど）、読込み型の無線通信装置１０で読み込んだＩＣタグ情報（識別番号等）を元にしてこのデータベースと照合し、個々の商品３についての商品情報を確認でき、商品管理を行うことができる。
また、書込み型の無線通信装置１０は、ＩＣタグ２に対しては、所定情報を書き込む機能を有する。かかる書込み型の無線通信装置１０を用いる場合、流通過程に於ける各箇所で、所定の商品情報を追記更新することにより、商品３毎のＩＣタグ２に重畳的に商品情報を蓄積できる。
これら読込み型、書込み型、読書き型の無線通信装置１０は、各流通箇所に於いて適宜選択して使用でき、例えば、製造元から販売業者又は消費者に至るまで、同じ型の無線通信装置（例えば、読込み型や読書き型など）を用いたり、或いは、製造元では書込み型の無線通信装置、問屋などの流通業者では読書き型、販売業者又は消費者では読込み型をそれぞれ用いるなどのように、流通箇所で異なる型の無線通信装置１０を用いることもできる。
【００１９】
また、無線通信装置１０は、包装体１に包装された商品３のＩＣタグ２に個々にアクセスするものでも良いし、或いは、複数個に一括してアクセスする方式のものでもよい。
【００２０】
このような無線通信装置１０としては、複数個に対してアクセスするマルチアクセス方式、特定のＩＣチップ２２を探しながらアクセスするセレクティブアクセス方式、順にアクセスするＦＩＦＯアクセス方式などがあり、無線通信装置と一つ又は複数のＩＣタグ間の通信が衝突しないアンチコリジョン機能を持っている。尚、ＩＣチップには個々のＩＤ番号が振り分けられており、それぞれの情報を読み書きできるようになっている。これら方式の中では、マルチアクセス方式の無線通信装置が好ましく、包材５や外装材３３にて商品３を包装してなる包装体１に於いて、個々の商品３のＩＣタグ２を一括読み書きすることができる。
マルチアクセス方式の無線通信装置としては、例えば、特開２０００−１１３１２７号公報などが例示される。この公報に記載の装置は、ＴＤＭＡ（時分割多重方式）により、リーダライタがＩＣタグへマルチリード用のコマンドを送信し、ＩＣタグはＩＣチップ内部で発生した乱数によって応答するタイムスロットを選択して要求されたデータをリーダライタへ送信することでデータの衝突を避け、一括読み取りに対応している。
【００２１】
上記包装体１は、底面３ａにＩＣタグ２が備えられた商品３の複数個が、それぞれの底面３ａを一面側に向けた状態で包材５によって包装された構成からなる。従って、該包装体１は、その一面に対して、各商品３のＩＣタグ２が並べられたような状態となっている。従って、同一包装されている隣合う商品３や該商品３に具備されたＩＣタグ２の干渉を受けず、各商品３に具備されたＩＣタグ２の情報をそれぞれ確実に読み取る又は各商品３に具備されたＩＣタグ２に情報を記録できる。特に、収納物３２が液状の場合、従来のようにＩＣタグを容器胴部に装着していると電波が吸収されて読み取り感度などが低下するが、本発明の包装体１によれば、無線通信装置１０と各商品３のＩＣタグ２の間に、液状の収納物が介在しないので、読み取り感度などが低下する虞もない。
よって、包装体１を開封して商品３を取り出さなくても、包装した状態のまま、商品毎にその商品管理を用いて行うことができる。尚、後述するように、流通保管時に、各商品のＩＣタグ２が向けられた包装体１の一面が、載置面とならない場合には、該一面に対向する側に無線通信装置を配置することが好ましい。
尚、このようにＩＣタグ２と無線通信装置１０によって情報を通信するので、バーコードなどの光学的な手段に比してより確実に情報を読み込むことができ、又、包材５として非透明なものを用いることもできる。
【００２２】
さらに、ＩＣタグ２が、任意に読み書き可能なＩＣチップ２２を備えている場合には、書込み型又は読書き型の無線通信装置１０によって、所望の情報を追記又は更新記録することができる。
従って、例えば、製造元から流通業者を経て消費者に至るまでの各流通拠点で、上記包装体１に無線通信装置１０を作用させ、各商品３のＩＣタグ２のそれぞれに、入出荷情報（出荷日、入庫日等）や検品情報などの所望の情報を追加又は更新記録していくことにより、極めて正確な流通履歴が記録されたＩＣタグ２を個々の商品毎に得ることができる。
このＩＣタグ２の記録情報に従えば、商品３の追跡管理を容易に行えるので、医薬品の流通管理システムとして特に好適に利用できる。
【００２３】
次に、本発明の変形例を示す。但し、下記変形例の説明では、上記各実施形態と異なる部分について主として説明し、同様の構成についてはその説明を省略し、用語及び図番を援用することがある。
上記実施形態では、商品３として、液状の医薬品が収納されたバイアル瓶を例示しているが、本発明の商品３はこれに限定されず、種々のものに適用できる。
すなわち、収納物３２としては、顆粒状、錠剤状、粉状、ゼリー状、固形状などの性状の医薬品でも良いし、又、医薬品に限られず、液状、顆粒状、錠剤状、粉状、ゼリー状、固形状などの性状の食品、飲料、化粧品、サニタリー品などでもよく、或いは、玩具などでもよい。
また、該収納物３２を収納する容器３１はバイアル瓶に限られず、例えば、アンプルやプレフィルドシリンジなどの医療用容器、胴部よりも小径の注出口が形成されたボトル型、底面から上面まで略同寸法の円筒又は四角筒などの筒状型、底面から上面に向かって拡がるカップ型、瓢箪型、樽型、壺型、胴部に窪みを有するなどの異形型などの各種形状の成形容器の他、厚紙や合成樹脂シートなどの展開シートを組み立てた箱型の組立容器（いわゆるキャラメル箱）などでもよい。
また、容器３１の材質についても特に限定されず、ポリエチレンテレフタレートなどの合成樹脂製、金属製、陶器製、ガラス製などでもよい。但し、金属製容器を用いる場合には、磁束の異常反射などが発生して電磁誘導に影響を及ぼして無線通信装置１０による読み取り感度などが低下する虞があるので、金属面でも正常に使用可能なＩＣタグ２を用いることが好ましい。
【００２４】
図５（ａ）は、商品３としてアンプルが用いられている例である。該アンプル３は、例えば底面６ａに続く円筒状の胴部６ｂの一部分に縊れ部６ｃが形成されたアンプル本体６と、該アンプル本体６内に封入された薬剤と、を有する。アンプル３の底面６ａは、胴部６ｂの軸長方向に対してほぼ直交する面部である。該アンプル３は、医療用容器として公知なものを用いることができる。ＩＣタグ２は、このアンプル本体６の底面６ａに具備されている。ＩＣタグ２をアンプル３に具備させる手段としては、上記実施形態のように粘着剤を用いてＩＣタグ２を貼付する方法、図示したように、アンプル本体６の胴部６ｂからＩＣタグ２の周縁部にかけて熱収縮性筒状フィルム８を熱収縮させることによってＩＣタグ２を固定する方法などが挙げられる。
図５（ｂ）、（ｃ）に示すように、アンプル３を包装したＩＣタグ付き包装体１は、包材５内に、このアンプル３の複数個が、アンプル３の底面６ａを包装体１の一面側に向けて収納されている。尚、包材５は、図示したような着脱自在な凹状蓋を有する組立箱などが挙げられる。また、５１は、該包材５に具備された波形緩衝シート（ロンドレーション）を示す（図５（ｂ）では図示せず）。
【００２５】
図６（ａ）は、商品３としてプレフィルドシリンジが用いられている例である。該シリンジ３は、端部に注射針装着部７１ａが形成された筒状の胴部７１ｂを有するシリンジ本体７１と、注射針装着部７１ａに取り付けられた栓体７２と、シリンジ本体７１の後方開口部に挿入されたピストンロッド部７３と、シリンジ本体７１内に封入された薬剤と、を有し、ピストンロッド部７３の端面７３ａ（底面に相当する）は、シリンジ本体７１の胴部７１ｂの軸長方向に対してほぼ直交する面部である。このピストンロッド部７３の端面７３ａには、ＩＣタグ２が具備されている。該プレフィルドシリンジ３は、予め薬剤が封入された注射容器であり、公知なものを用いることができる。ＩＣタグ２をシリンジ３に具備させる手段は、上記の例示と同様に、例えば熱収縮性筒状フィルム８などを用いることができる。
図６（ｂ）、（ｃ）に示すように、シリンジ３を包装したＩＣタグ付き包装体１は、組立箱などからなる包材５内に、このシリンジ３の複数個が、シリンジ３の端面を包装体１の一面側に向けて収納されている。尚、５１は、包材５に具備された波形緩衝シートを示す（図６（ｂ）では図示せず）。
【００２６】
尚、上記アンプルやシリンジなどのような比較的細長い容器からなる商品を、一列又は二列に並べて収納する場合、図５及び図６に示すように、厚みの薄い扁平状の箱（包材）に、該商品を横に置いて収納することが多い。このように商品を横置き収納するタイプの場合、各容器は、それぞれの底面を包材の一側面１ａ（小面積の面部）に向けた状態で収納される。得られる包装体１は、包材５の形状に従って扁平状となるため、通常、大面積の面部１ｂを載置して保管流通に供される。該包装体１は、保管流通時に載置される面部１ｂに対して商品３のＩＣタグ２が並んでいないため、各商品３のＩＣタグ２が並んでいる包装体の一側面１ａ側から無線通信装置を作用させればよい。
【００２７】
さらに、上記実施形態では、商品３は、容器３１とこれに収納された収納物３２とからなるが、例えば、図７に示すように、収納物３２の収納された容器３１が更に外装材３３にて個包装されてなる商品３でもよい。外装材３３としては、厚紙や合成樹脂シートなどの展開シートを組み立てた組立小箱や樹脂成形箱などが例示される。
収納物の収納された容器３１と外装材３３とからなる上記商品３についても同様に、それぞれ底面３ａを包装体１の一面側に向けた状態で、包材５によって複数個が包装される。
かかる態様の商品３の場合、容器３１の底面３１ａにＩＣタグ２を具備させてもよいし、又、図７（ａ）又は（ｂ）に示すように、外装材３３の底面の外側又は内側にＩＣタグ２を具備させてもよい。
【００２８】
さらに、上記実施形態では、包材５は、厚紙などを組み立てた組立箱が用いられているが、複数個の商品３を包装する包材５は組立箱に限られず、例えば、容体と蓋体からなる合成樹脂ケースなどの樹脂成形品を用いることもできる。また、図８（ａ）に示すように、包材５として、熱収縮性フィルムなどの軟質フィルム５１を用い、複数個の商品３を纏めてオーバーラップすることによりＩＣタグ付き包装体１を構成することもできる。さらに、同図（ｂ）に示すように、包装する各商品３の底面３ａに対面するように厚紙や合成樹脂シートなどの板材５２を添付し且つ全体を軟質フィルム５１で包装してもよい。また、包材５として、結束ベルトを用いることもできる。包材５は、複数個の商品３が離れないように一体化できるものであれば、図１や図８などに示すように全体を被包して一体化する態様、特に図示しないが複数個の商品３の一部分が露出した状態で一体化する態様の何れでもよい。もっとも、商品３の底面３ａに具備されたＩＣタグ２を保護できることから、包材５としては、厚紙などのシートを組み立てた組立箱や合成樹脂ケースなどの樹脂成形品、図８（ｂ）に示すような板材５２を添付したものが好ましい。
【図面の簡単な説明】
【００２９】
【図１】（ａ）は、ＩＣタグ付き包装体の一実施形態を示す正面図、（ｂ）は、同上面図。
【図２】図１のＡ−Ａ線に於いて包材のみを切断した状態で示す断面図。
【図３】商品の一実施形態を示す縦断面。
【図４】（ａ）は、無線通信装置を用いてＩＣタグにアクセスする状態の一実施形態を示す正面図、（ｂ）は、同上面図。
【図５】（ａ）は、商品（アンプル）の変形例を示す縦断面図、（ｂ）は、同商品を包装した包装体の平面図（但し、包材を断面で示している）、（ｃ）は、Ｂ−Ｂ線断面図。
【図６】（ａ）は、商品（シリンジ）の変形例を示す縦断面図、（ｂ）は、同商品を包装した包装体の平面図（但し、包材を断面で示している）、（ｃ）は、Ｃ−Ｃ線断面図。
【図７】ＩＣタグ付き包装体の変形例を示し、（ａ）は、その包装体のうち包材のみを切断した状態で示す縦断面図、（ｂ）は、その包装体のうち包材及び外装材を切断した状態で示す縦断面図。
【図８】（ａ）、（ｂ）ともに、ＩＣタグ付き包装体の変形例であってし、その包装体のうち包材のみを切断した状態で示す縦断面図。但し、軟質フィルムについては、切断面を表す斜線を入れず、単なる実線で示している。
【符号の説明】
【００３０】
１…ＩＣタグ付き包装体、２…ＩＣタグ、２１…基材、２２…ＩＣチップ、２３…アンテナ部、３…商品、３ａ…商品の底面、３１…容器、３１ａ…容器の底面、５…包材、５ａ…包材の底面、５１…軟質フィルム、５２…板材、１０…無線通信装置
【図１】
2007001663.tif 000003
【図２】
2007001663.tif 000004
【図３】
2007001663.tif 000005
【図４】
2007001663.tif 000006
【図５】
2007001663.tif 000007
【図６】
2007001663.tif 000008
【図７】
2007001663.tif 000009
【図８】
2007001663.tif 000010